(57)【要約】  【課題】  通話中文字メッセージの認識方法と文字メッセージの受信方法を提供することにある。  【解決手段】  ＰＨＳ２を収容するＰＢＸ４と、このＰＢＸと接続し、ＰＨＳに文字メッセージを配信するＭＳＧ−ＳＶ５とを有する文字メッセージ配信システム１であって、ＰＢＸは、ＭＳＧ−ＳＶからＰＨＳへの文字メッセージ配信要求が発生すると、同ＰＨＳが文字メッセージ受信可能な状態であるか否かを判定し、同ＰＨＳが文字メッセージ受信できない状態であると判定されると、ＭＳＧ−ＳＶからＰＨＳへの文字メッセージ配信を中止し、同ＰＨＳが文字メッセージ受信可能な状態に復帰すると、ＭＳＧ−ＳＶからＰＨＳへの文字メッセージ配信動作を開始するものである。【選択図】  図１
2006121496.tif 000002
【特許請求の範囲】
【請求項１】
端末装置を収容接続する接続装置と、この接続装置と接続し、前記端末装置に文字メッセージを配信する文字メッセージ配信装置とを有する文字メッセージ配信システムであって、
前記接続装置は、
前記端末装置の通信状態が文字メッセージ受信不可状態であるか否かを判定する状態判定手段と、
前記文字メッセージ配信装置から前記端末装置への文字メッセージ配信開始コマンドを検出すると、前記状態判定手段の判定動作を開始し、この状態判定手段にて前記端末装置の通信状態が文字メッセージ受信不可状態であると判定されると、前記文字メッセージ配信装置から前記端末装置への文字メッセージ配信を中止するように、前記文字メッセージ配信装置に指示する制御手段とを有し、
前記制御手段は、
前記文字メッセージ配信装置の前記端末装置への文字メッセージ配信中止中に、前記状態判定手段にて前記端末装置の通信状態が文字メッセージ受信不可状態でないと判定されると、この端末装置に対する前記中止中の文字メッセージ配信を開始すべく、前記文字メッセージ配信装置に指示することを特徴とする文字メッセージ配信システム。
【請求項２】
前記文字メッセージ受信不可状態とは、
前記端末装置の通話中の通信状態であることを特徴とする請求項1記載の文字メッセージ配信システム。
【請求項３】
前記制御手段は、
前記文字メッセージ配信装置から前記端末装置への文字メッセージ配信開始コマンドを検出すると、前記状態判定手段の判定動作を開始し、この状態判定手段にて前記端末装置の通信状態が通話中であると判定されると、この通話音声に前記文字メッセージありを通知するアラーム音を割り込ませることを特徴とする請求項２記載の文字メッセージ配信システム。
【請求項４】
前記通話音声に割り込ませるアラーム音は、
前記メッセージ配信対象の端末装置側にのみ鳴動させることを特徴とする請求項３記載の文字メッセージ配信システム。
【請求項５】
前記アラーム音は、
前記文字メッセージ内容の重要度に応じて異なることを特徴とする請求項３又は４記載の文字メッセージ配信システム。
【請求項６】
前記文字メッセージ受信不可状態とは、
前記端末装置の電源OFF状態、又は前記端末装置の通信圏外状態であることを特徴とする請求項1記載の文字メッセージ配信システム。
【請求項７】
前記文字メッセージ受信不可状態とは、
前記端末装置のブラウジング通信中の通信状態であることを特徴とする請求項１記載の文字メッセージ配信システム。
【発明の詳細な説明】
【技術分野】
【０００１】
本発明は、例えばＰＨＳ等の端末装置を収容接続する、例えば構内交換機（以下、単にＰＢＸと称する）等の接続装置と、この接続装置と接続し、前記端末装置に、例えばＮＴＴドコモで提供する“きゃらトーク”（商標）等の文字メッセージを配信する、例えば文字メッセージサーバ（以下、単にＭＳＧ−ＳＶ５と称する）等の文字メッセージ配信装置とを有する文字メッセージ配信システムに関する。
【背景技術】
【０００２】
では、このような従来の文字メッセージ配信システムについて図面を用いて説明する。図９は従来の文字メッセージ配信システムの文字メッセージ配信処理に関わる処理動作を示す動作シーケンスである。
【０００３】
従来の文字メッセージ配信システムは、ＰＨＳ１０２と、このＰＨＳ１０２を無線接続するＢＳを収容接続したＰＢＸ１０４と、このＰＢＸ１０４とＬＡＮ接続し、ＰＨＳ１０２に文字メッセージを配信するＭＳＧ−ＳＶ１０５とを有している。
【０００４】
ＭＳＧ−ＳＶ１０５は、ＰＨＳ１０２に配信する文字メッセージを検出すると（ステップＳ１０１）、送信用呼設定電文（以下、単にＳＥＴＵＰと称する）をＰＢＸ１０４に通知する（ステップＳ１０２）。尚、ＭＳＧ−ＳＶ１０５は、ＰＨＳ１０２への文字メッセージへの配信失敗を考慮して、文字メッセージのリトライ回数及びリトライ間隔を予め設定しているものとする。また、ＳＥＴＵＰには、文字メッセージ及び同文字メッセージを配信対象とするＰＨＳ１０２の内線番号が含まれている。
【０００５】
ＰＢＸ１０４は、ＳＥＴＵＰを受信すると、同ＳＥＴＵＰを受け付ける呼設定受付電文（以下、単にＣＡＬＬＰＲＯＣと称する）をＭＳＧ−ＳＶ１０５に返信する（ステップＳ１０３）。
【０００６】
ＰＢＸ１０４は、同ＳＥＴＵＰに基づき、メッセージ配信対象のＰＨＳ１０２の内線番号に基づき、同ＰＨＳ１０２の通信状態が空き状態であるか否かを判定する（ステップＳ１０４）。
【０００７】
ＰＢＸ１０４は、同ＰＨＳ１０２の通信状態が空き状態でない、例えばＰＨＳ１０２及び通話相手１０３間が通話中であると判定されると、ＰＨＳ１０２が通話中のため文字メッセージを受信することができないものと判断し、切断電文（以下、単にＤＩＳＣと称する）をＭＳＧ−ＳＶ１０５に通知する（ステップＳ１０５）。
【０００８】
ＭＳＧ−ＳＶ１０５は、ＤＩＳＣを検出すると、開放電文（以下、単にＲＥＬと称する）をＰＢＸ１０４に通知する（ステップＳ１０６）。さらに、ＰＢＸ１０４は、ＲＥＬを受信すると、開放完了電文（以下、単にＲＥＬＣＯＭＰと称する）をＭＳＧ−ＳＶ１０５に通知する（ステップＳ１０７）。
【０００９】
この際、ＭＳＧ−ＳＶ１０５は、文字メッセージの配信が失敗したものと判断し、予め設定したリトライ回数を−１デクリメントすると共に、設定したリトライ間隔に基づき、次の配信タイミングを監視している（ステップＳ１０８）。
【００１０】
また、通話中のＰＨＳ１０２は、ＰＨＳ１０２及び通話相手１０３間の終話を検出すると（ステップＳ１０９）、ＤＩＳＣをＰＢＸ１０４に通知する（ステップＳ１１０）。ＰＢＸ１０４は、ＤＩＳＣを受信すると、ＲＥＬをＰＨＳ１０２に通知する（ステップＳ１１１）。ＰＨＳ１０２は、ＲＥＬに応じてＲＥＬＣＯＭＰをＰＢＸ１０４に通知する（ステップＳ１１２）。この際、ＰＨＳ１０２の通信状態は空き状態となる。
【００１１】
また、ＭＳＧ−ＳＶ１０５は、リトライ間隔に基づき、次の配信タイミングを検出すると、再度、ＰＨＳ１０２への文字メッセージの配信動作を実行すべく（ステップＳ１１３）、文字メッセージを含むＳＥＴＵＰをＰＢＸ１０４に通知する（ステップＳ１１４）。ＰＢＸ１０４は、文字メッセージを含むＳＥＴＵＰを受信すると、ＣＡＬＬＰＲＯＣをＭＳＧ−ＳＶ１０５に通知する（ステップＳ１１５）。
【００１２】
さらに、ＰＢＸ１０４は、ステップＳ１１４にて受信したＳＥＴＵＰに基づき、メッセージ配信対象の内線番号に基づき、同ＰＨＳ１０２の通信状態が空き状態であるか否かを判定する（ステップＳ１１６）。
【００１３】
ＰＢＸ１０４は、同ＰＨＳ１０２の通信状態が空き状態であると判定されると、文字メッセージを含むＳＥＴＵＰを同メッセージ配信対象のＰＨＳ１０２に通知する（ステップＳ１１７）。ＰＨＳ１０２は、同ＳＥＴＵＰに対するＣＡＬＬＰＲＯＣをＰＢＸ１０４に通知する（ステップＳ１１８）。尚、ＰＨＳ２は、文字メッセージを受信したことになる。
【００１４】
ＰＨＳ１０２は、呼出中電文（以下、単にＡＬＥＲＴと称する）をＰＢＸ１０４に通知する（ステップＳ１１９）。ＰＢＸ１０４は、ＡＬＥＲＴをＭＳＧ−ＳＶ１０５に通知する（ステップＳ１２０）。
【００１５】
さらに、ＰＨＳ１０２は、文字メッセージを受信すると、受信完了電文（以下、単にＣＯＮＮと称する）をＰＢＸ１０４に通知する（ステップＳ１２１）。さらに、ＰＢＸ１０４は、ＣＯＮＮをＭＳＧ−ＳＶ１０５に通知する（ステップＳ１２２）。
【００１６】
ＭＳＧ−ＳＶ１０５は、ＣＯＮＮを受信すると、ＤＩＳＣをＰＢＸ１０４に通知する（ステップＳ１２３）。ＰＢＸ１０４は、ＤＩＳＣに応じてＲＥＬをＭＳＧ−ＳＶ１０５に通知する（ステップＳ１２４）。最終的にＭＳＧ−ＳＶ１０５は、ＲＥＬに応じてＲＥＬＣＯＭＰをＰＢＸ１０４に通知することで（ステップＳ１２５）、この処理動作を終了することになる。
【００１７】
このように従来の文字メッセージ配信システムによれば、ＰＨＳ１０２毎にリトライ回数及びリトライ間隔をＭＳＧ−ＳＶ１０５側で予め設定しておき、例えばＰＨＳ１０２が通話中のため文字メッセージの配信が失敗したとしても、その設定したリトライ回数及びリトライ間隔に基づき、再度文字メッセージを配信するタイミングを図り、リトライ回数分の文字メッセージ配信動作を自動的に行うことができるため、ＰＨＳ１０２が通話中であっても、ＰＨＳ１０２による文字メッセージの未受信を極力低減することができる。
【００１８】
また、近年、通話信号と切り分けてＤＴＭＦ信号で文字メッセージを送受信し、これら通話信号及びＤＡＭＦ信号が重畳するのを防止したシステムが案出されている（例えば特許文献１参照）。
【００１９】
このような特許文献１のシステムを採用することで、ＰＨＳによる文字メッセージの未受信を防止することも考えられる。
【特許文献１】特開２０００−２０１２３３号公報(図１及び要約書参照)
【発明の開示】
【発明が解決しようとする課題】
【００２０】
しかしながら、上記従来の文字メッセージ配信システムによれば、ＭＳＧ−ＳＶ１０５側でＰＨＳ１０２毎に文字メッセージ配信のリトライ回数及びリトライ間隔を予め設定しておき、ＰＨＳ１０２への文字メッセージ配信が失敗したとしても、これら設定されたリトライ回数及びリトライ間隔に基づき、文字メッセージを再度配信することで、ＰＨＳ１０２側の文字メッセージ未受信の発生を極力低減するようにしたが、例えばＰＨＳ１０２が文字メッセージを長時間受信できないような場合、文字メッセージ配信のリトライ動作が設定したリトライ回数を超えてしまうために、ＰＨＳ１０２側で文字メッセージの未受信が発生してしまう虞もある。
【００２１】
また、同様に、例えばＰＨＳ１０２に設定したリトライ間隔による文字メッセージの配信タイミングに、たまたまＰＨＳ１０２が文字メッセージを受信できない状態が重なった場合、やはり、文字メッセージを受信することができないと言った事態も考えられる。
【００２２】
さらに、ＰＨＳ側の文字メッセージの未受信を改善すべく、特許文献１の技術を採用することも考えられるが、この場合、通話信号と文字メッセージを配信するＤＴＭＦ信号とを切り分けるための特殊な機能をＰＨＳや各種機器に加える必要がある。
【００２３】
本発明は上記点に鑑みてなされたものであり、その目的とするところは、既存の端末装置に変更を加えることなく、端末装置側の文字メッセージの未受信の発生を確実に防止することができる文字メッセージ配信システムを提供することにある。
【課題を解決するための手段】
【００２４】
上記目的を達成するために本発明の文字メッセージ配信システムは、端末装置を収容接続する接続装置と、この接続装置と接続し、前記端末装置に文字メッセージを配信する文字メッセージ配信装置とを有する文字メッセージ配信システムであって、前記接続装置は、前記端末装置の通信状態が文字メッセージ受信不可状態であるか否かを判定する状態判定手段と、前記文字メッセージ配信装置から前記端末装置への文字メッセージ配信開始コマンドを検出すると、前記状態判定手段の判定動作を開始し、この状態判定手段にて前記端末装置の通信状態が文字メッセージ受信不可状態であると判定されると、前記文字メッセージ配信装置から前記端末装置への文字メッセージ配信を中止するように、前記文字メッセージ配信装置に指示する制御手段とを有し、前記制御手段は、前記文字メッセージ配信装置の前記端末装置への文字メッセージ配信中止中に、前記状態判定手段にて前記端末装置の通信状態が文字メッセージ受信不可状態でないと判定されると、この端末装置に対する前記中止中の文字メッセージ配信を開始すべく、前記文字メッセージ配信装置に指示するようにした。
【００２５】
本発明の文字メッセージ配信システムは、前記文字メッセージ受信不可状態を、前記端末装置の通話中の通信状態とした。
【００２６】
本発明の文字メッセージ配信システムは、前記制御手段が、前記文字メッセージ配信装置から前記端末装置への文字メッセージ配信開始コマンドを検出すると、前記状態判定手段の判定動作を開始し、この状態判定手段にて前記端末装置の通信状態が通話中であると判定されると、この通話音声に前記文字メッセージありを通知するアラーム音を割り込ませるようにした。
【００２７】
本発明の文字メッセージ配信システムは、前記通話音声に割り込ませるアラーム音を、前記メッセージ配信対象の端末装置側にのみ鳴動させるようにした。
【００２８】
本発明の文字メッセージ配信システムは、前記アラーム音を、前記文字メッセージ内容の重要度に応じて異なるようにした。
【００２９】
本発明の文字メッセージ配信システムは、前記文字メッセージ受信不可状態を、前記端末装置の電源OFF状態、又は前記端末装置の通信圏外状態とした。
【００３０】
本発明の文字メッセージ配信システムは、前記文字メッセージ受信不可状態を、前記端末装置のブラウジング通信中の通信状態とした。
【発明の効果】
【００３１】
上記のように構成された本発明の文字メッセージ配信システムによれば、文字メッセージ配信装置の端末装置への文字メッセージ配信中止中に、前記端末装置の通信状態が文字メッセージ受信不可状態にないと、すなわち文字メッセージを受信できる状態に復帰したと判定されると、この端末装置に対する中止中の文字メッセージ配信を開始すべく、前記文字メッセージ配信装置に指示するようにしたので、既存の端末装置に変更を加えることなく、同端末装置側の文字メッセージ未受信の発生を確実に防止することができる。
【００３２】
本発明の文字メッセージ配信システムによれば、通話中の端末装置に対してメッセージ配信中止中の文字メッセージがあったとしても、通話中の端末装置が終話すると、この端末装置に対して配信中止中の文字メッセージ配信動作を開始すべく、文字メッセージ配信装置に指示するようにしたので、既存の端末装置に変更を加えることなく、終話時に文字メッセージを受信することで、端末装置側の文字メッセージ未受信の発生を確実に防止することができる。
【００３３】
本発明の文字メッセージ配信システムによれば、前記文字メッセージ配信装置から前記端末装置への文字メッセージ配信開始コマンドを検出すると、前記状態判定手段の判定動作を開始し、この状態判定手段にて前記端末装置の通信状態が通話中であると判定されると、この通話音声に前記文字メッセージありを通知するアラーム音を割り込ませるようにしたので、端末装置のユーザは、アラーム音を受聴することで、未受信の文字メッセージがあることを認識することができる。
【００３４】
本発明の文字メッセージ配信システムによれば、前記通話音声に割り込ませるアラーム音を、前記メッセージ配信対象の端末装置側にのみ鳴動させるようにしたので、端末装置のユーザに未受信の文字メッセージがあることを通知しながら、通話相手に配慮することができる。
【００３５】
本発明の文字メッセージ配信システムによれば、前記アラーム音を、前記文字メッセージ内容の重要度に応じて異なるようにしたので、端末装置のユーザは、アラーム音を聞くだけで文字メッセージ内容の重要度を認識することができる。
【００３６】
本発明の文字メッセージ配信システムによれば、圏外状態の端末装置に対してメッセージ配信中止中の文字メッセージがあったとしても、端末装置が圏内状態に復帰すると、この端末装置に対して配信中止中の文字メッセージ配信動作を開始すべく、文字メッセージ配信装置に指示するようにしたので、既存の端末装置に変更を加えることなく、圏内復帰時に文字メッセージを受信することで、端末装置側の文字メッセージ未受信の発生を確実に防止することができる。
【００３７】
本発明の文字メッセージ配信システムによれば、電源ＯＦＦ中の端末装置に対してメッセージ配信中止中の文字メッセージがあったとしても、端末装置が電源ＯＮに復帰すると、この端末装置に対して配信中止中の文字メッセージ配信動作を開始すべく、文字メッセージ配信装置に指示するようにしたので、既存の端末装置に変更を加えることなく、電源ＯＮ時に文字メッセージを受信することで、端末装置側の文字メッセージ未受信の発生を確実に防止することができる。
【００３８】
本発明の文字メッセージ配信システムによれば、ブラウジング通信中の端末装置に対してメッセージ配信中止中の文字メッセージがあったとしても、端末装置がブラウジング通信を終了すると、この端末装置に対して配信中止中の文字メッセージ配信動作を開始すべく、文字メッセージ配信装置に指示するようにしたので、既存の端末装置に変更を加えることなく、ブラウジング通信終了時に文字メッセージを受信することで、端末装置側の文字メッセージ未受信の発生を確実に防止することができる。
【発明を実施するための最良の形態】
【００３９】
以下、図面に基づいて本発明の実施の形態を示す文字メッセージ配信システムについて説明する。図１は本実施の形態を示す文字メッセージ配信システム内部の概略構成を示すブロック図である。
【００４０】
図１に示す文字メッセージ配信システム１は、ＰＨＳ２を無線接続するＢＳ３と、このＢＳ３を収容接続するＰＢＸ４と、ＰＢＸ４と接続すると共に、ＰＨＳ２にメッセージ内容を文字メッセージで配信するＭＳＧ−ＳＶ５とを有している。
【００４１】
ＰＢＸ４は、ＢＳ３との通信インタフェースを司る基地局インタフェース（以下、単にＤＲＩＦと称する）６と、公衆網７との通信インタフェースを司るＩＳＤＮトランク（以下、単にＩＴＣと称する）８と、ＩＳＤＮの通信インタフェースを司るＩＳＤＮライン回路（以下、単にＩＬＣと称する）９とを収容接続すると共に、後述する通話音声にアラーム音を割込み出力するアラーム音出力部４Ａを有している。
【００４２】
ＭＳＧ−ＳＶ５は、ＩＬＣ９との通信インタフェースを司る通信インタフェース（以下、単にＨＴＩＳＤＮと称する）１０と、メッセージ配信に関わる各種データを記憶管理するデータベース（以下、単にＤＢと称する）１１とを有し、ＬＡＮ１２に接続するものである。
【００４３】
また、ＬＡＮ１２は、インターネット１３との通信インタフェースを司るルータ（以下、単にＲＴと称する）１４と、Ｅメールを送受信するためのＥメールサーバ（以下、単にＭＬＳ１５と称する）１５と、例えば接点情報等の障害用のメッセージ内容を編集する障害用クライアント（以下、単にＭＧＷ−ＣＬと称する）１６と、メッセージ内容を作成編集するユーザ側クライアント（以下、単にＰＣ−ＣＬと称する）１７とを有している。
【００４４】
また、ＰＢＸ４内のＩＬＣ９は、ＰＩＡＦ用ターミナルアダプタ（以下、単にＴＡ−Ｐと称する）１８経由でＬＡＮ１２に接続するものである。
【００４５】
ＭＧＷ−ＣＬ１６は、例えば工場の生産ラインに配置され、同生産ラインでの障害が発生した場合に接点情報を出力する接点スイッチ（以下、単にＳ−ＳＷと称する）１９と接続し、Ｓ−ＳＷ１９のスイッチ情報に応じて障害を検出すると、障害用のメッセージ内容を、ＬＡＮ１２経由でＭＳＧ−ＳＶ５に通知するものである。
【００４６】
ＭＳＧ−ＳＶ５は、ＬＡＮ１２上のＭＧＷ−ＣＬ１６から障害用のメッセージ内容を受信すると、この障害用のメッセージ内容を内部の受信バッファに蓄積し、ＨＴＩＳＤＮ１０、ＩＬＣ９、ＰＢＸ４、ＤＲＩＦ６及びＢＳ３を経由してＰＨＳ２に障害用の文字メッセージを配信するものである。
【００４７】
また、ＭＳＧ−ＳＶ５は、ＬＡＮ１２上のＰＣ−ＣＬ１７からログインしてメッセージ内容を作成し、このメッセージ内容を内部の受信バッファに蓄積し、ＨＴＩＳＤＮ１０、ＩＬＣ９、ＰＢＸ４、ＤＲＩＦ６及びＢＳ３を経由してＰＨＳ２に文字メッセージを配信するものである。
【００４８】
図２は本実施の形態に関わるＭＳＧ−ＳＶ５内部の概略構成を示すブロック図である。
【００４９】
図２に示すＭＳＧ−ＳＶ５は、ＤＢ１１の他に、ＬＡＮ１２上のＭＧＷ−ＣＬ１６、ＰＣ−ＣＬ１７及びＴＡ−Ｐ１８との通信インタフェースを司る第１ＬＡＮインタフェース２１と、ＬＡＮ１２上のＭＬＳ１５との通信インタフェースを司る第２ＬＡＮインタフェース２２と、第１ＬＡＮインタフェース２１経由で受信したメッセージ内容を蓄積する受信バッファ（以下、単にＢＵＦと称する）２３と、配信対象のメッセージ内容を蓄積する送信バッファ（以下、単にＱＵＥと称する）２４と、ＨＴＩＳＤＮ１０の回線チャネル（ポート）単位に配信対象のメッセージを夫々蓄積するｎ個分のマルチタスクＭＳ１〜ＭＳｎ２５と、ＬＡＮ１２上のＭＬＳ１５の新着Ｅメールを監視するＥメール監視部（以下、単にＥＳＣＮと称する）２６と、このＭＳＧ−ＳＶ５全体を制御する中央制御装置（以下、単にＣＰＵと称する）２７とを有している。
【００５０】
ＤＢ１１は、メッセージ受信者情報３０を蓄積したシステムデータベース（以下、単にＳＤＢと称する）２８と、メッセージの送信ログを記憶管理する送信ログデータベース（以下、単にＬＤＢと称する）２９とを有している。
【００５１】
図３は本実施の形態に関わるＳＤＢ２８内のメッセージ受信者情報のデータ構成を示す説明図である。
【００５２】
ＳＤＢ２８は、図３に示すようにシステム内のユーザ毎にメッセージ受信者情報３０を記憶管理し、同メッセージ受信者情報３０は、ＰＣ−ＣＬ１７及びＰＨＳ２等のユーザの氏名３１及び内線番号３２と、ＭＳＧ−ＳＶ５にアクセスするためのユーザＩＤ３３及びパスワード３４と、同ユーザのＭＬＳ１５にアクセスするためのＥメール情報３５と、同ユーザ宛のメッセージの送信種別を指定するメッセージ送信種別３６と、同ユーザが携帯電話機を所有している場合は携帯電話機の携帯Ｅメールアドレス３７と、例えば文字メッセージの配信中止を考慮したリトライ回数３８及びリトライ間隔３９とを有している。
【００５３】
Ｅメール情報３５は、ＬＡＮ１２上のＭＬＳ１５にアクセスするためのＥメールアドレス３５Ａ及びＥメールパスワード３５Ｂと、ＭＬＳ１５内の送信専用Ｅメールサーバの識別コード３５Ｃ及び受信専用Ｅメールサーバの識別コード３５Ｄと、送信専用Ｅメールサーバの送信ポート番号を示すＥメール送信ポート番号３５Ｅと、受信専用Ｅメールサーバの受信ポート番号を示すＥメール受信ポート番号３５Ｆとを有している。
【００５４】
メッセージ送信種別３６は、ユーザ宛のメッセージ内容を文字メッセージでユーザのＰＨＳ２に配信する場合と、メッセージ内容をＥメールでユーザのＰＣや携帯電話機に配信する場合と、メッセージ内容を文字メッセージ及びＥメール両方で配信する場合との３種類の送信種別の何れかを指定した情報である。
【００５５】
尚、ＰＨＳ２のユーザは、ＰＨＳ２からＢＳ３，ＤＲＩＦ６，ＰＢＸ４，ＩＬＣ９、ＴＡ−Ｐ１８及びＬＡＮ１２経由のＰＩＡＦＳ接続でＭＳＧ−ＳＶ５にアクセスし、ユーザＩＤ及びパスワードでＭＳＧ−ＳＶ５にログインすることで、ＳＤＢ２８内の自分のメッセージ受信者情報３０の内容を変更することが可能となるため、例えばメッセージ送信種別３６の適宜変更が可能となる。また、ＭＳＧ−ＳＶ５は、ＷＷＷサーバを搭載しているため、外部からインターネット経由でも自分のメッセージ受信者情報３０の内容を適宜変更することもできる。
【００５６】
また、ＭＳＧ−ＳＶ５のＣＰＵ２７は、例えばＭＧＷ−ＣＬ１６からの障害用のメッセージ内容をＬＡＮ１２経由で受信すると、このメッセージ内容をＢＵＦ２３に蓄積し、同メッセージ内容の配信対象であるユーザのメッセージ受信者情報３０をＳＤＢ２８から読み出し、このメッセージ受信者情報３０内のメッセージ送信種別３６に基づき、同メッセージ内容を文字メッセージ又は/及びＥメールで送信するかを判別するものである。
【００５７】
また、ＭＳＧ−ＳＶ５のＣＰＵ２７は、同メッセージ内容を文字メッセージで配信する場合、メッセージ受信者情報３０内の内線番号３２、リトライ回数３８及びリトライ間隔３９を、ＢＵＦ２３に蓄積した同メッセージ内容に付加してＱＵＥ２４に蓄積するものである。
【００５８】
図４は本実施の形態に関わるＱＵＥ２４内部の送信用メッセージ管理情報のデータ構成を示す説明図である。
【００５９】
ＱＵＥ２４は、ＢＵＦ２３からメッセージ内容を検出すると、図５に示す送信メッセージ管理情報５０を配信対象のメッセージ毎に編集するものであり、この送信メッセージ管理情報７０は、メッセージを識別するメッセージ番号５１と、メッセージの送信結果、例えば失敗、成功、中止中等の結果を示すステータス情報５２と、同メッセージの送信種別を示すメッセージ種別５３と、同メッセージを配信した配信先端末の識別番号を示す送信先番号５４と、同メッセージを配信した送信先端末の端末種別５５と、同メッセージ内容を示す送信メッセージ５６と、同メッセージの配信開始時間を示す送信開始時間５７と、同メッセージに関わる現時点でのリトライ回数５８と、同リトライ間隔５９と、次のリトライ開始時間を示す次回送信時間６０と、同メッセージ内容の重要度６１とを有している。
【００６０】
メッセージ種別５３は、文字メッセージやＥメール等のメッセージの送信種別に相当するものである。
【００６１】
送信先番号５４は、送信先端末の識別番号、例えば送信先端末がＰＨＳ２の場合は内線番号、送信先端末が携帯電話機の場合は携帯Ｅメールアドレスに相当するものである。
【００６２】
送信メッセージ５６は、例えばＰＣ−ＣＬ１７やＰＨＳ２から直接入力されたメッセージ内容、ＭＧＷ−ＣＬ１６からの接点番号から判断した障害用のメッセージ内容に相当するものである。
【００６３】
重要度６１は、メッセージ内容の重要度に応じてランクを付与し、例えば障害用のメッセージは通常のメッセージよりも重要度が高く設定されているものとする。
【００６４】
ＱＵＥ２４は、配信対象のメッセージ内容に対応した送信メッセージ管理情報５０内の送信先番号５４、例えば内線番号に基づき、空きのＭＳ２５に同メッセージ内容の文字メッセージを蓄積すると、ＨＴＩＳＤＮ１０、ＩＬＣ９、ＰＢＸ４、ＤＲＩＦ６及びＢＳ３経由でユーザＰＨＳ２に配信されることになる。そして、ＣＰＵ２７では、その文字メッセージ送信結果に基づき、先に編集したログ情報を更新して同送信ログ情報としてＬＤＢ２９に記憶更新するものである。
【００６５】
尚、ＱＵＥ２４は、例えばメッセージの送信結果が“成功”となると、この蓄積中の同メッセージに対応する送信メッセージ管理情報５０を削除することになるが、例えば送信結果が“中止中”となると、この蓄積中の同メッセージに対応する送信メッセージ管理情報を蓄積保持することになる。
【００６６】
また、ＭＳＧ−ＳＶ５のＣＰＵ２７は、同メッセージ内容をＥメールで配信する場合、メッセージ受信者情報３０内のＥメール情報３５内の配信対象ユーザのＥメールアドレス３５Ａ（携帯Ｅメールアドレス３７）、送信Ｅメールサーバの識別コード３５Ｃ及びＥメール送信ポート番号３５ＥをＢＵＦ２３に蓄積中のメッセージ内容に付加し、このメッセージ内容をＱＵＥ２４に蓄積するものである。
【００６７】
ＱＵＥ２４は、同メッセージ内容を検出すると、同メッセージに関わる送信メッセージ管理情報５０を蓄積すると共に、ＱＵＥ２４に蓄積中のメッセージ内容に付加したＥメールアドレス３５Ａ、送信Ｅメールサーバの識別コード３５Ｃ及びＥメール送信ボート番号３５Ｅに基づき、同メッセージ内容をＳＭＴＰプロトコルに変換し、このＥメールを空きのＭＳ２５に蓄積すると、ＭＳ２５側でＥメールであると判断し、同Ｅメールを第２ＬＡＮインタフェース２２及びＬＡＮ１２経由でＭＬＳ１５に送信することで、同ユーザは、ＭＬＳ１５から同メッセージ内容のＥメールを受信することになる。そして、ＣＰＵ２７では、そのＥメールの送信結果に基づき、先に編集したログ情報を更新して送信ログ情報としてＬＤＢ２９に記憶更新するものである。
【００６８】
図５は本実施の形態に関わるＬＤＢ２９内の送信ログ情報のデータ構成を示す説明図である。
【００６９】
ＬＤＢ２９は、図５に示すように、メッセージ毎にユーザ宛のメッセージの送信ログを記録した送信ログ情報７０を記憶管理し、この送信ログ情報７０は、同メッセージを識別するメッセージ番号７１と、メッセージの送信結果、例えば失敗、成功、中止中等の結果を示すステータス情報７２と、同メッセージの送信種別を示すメッセージ種別７３と、同メッセージを配信した配信先端末の内線番号を示す送信先番号７４と、同メッセージを配信した送信先端末の端末種別７５と、同メッセージ内容を示す送信メッセージ７６と、同メッセージの配信開始時間を示す送信開始時間７７と、同メッセージに関わる現時点でのリトライ回数７８と、同リトライ間隔７９と、次のリトライ開始時間を示す次回送信時間８０と、同メッセージ内容の重要度８１とを有している。
【００７０】
尚、ＰＨＳ２のユーザは、ＰＨＳ２からＢＳ３，ＤＲＩＦ６，ＰＢＸ４，ＩＬＣ９、ＴＡ−Ｐ１８及びＬＡＮ１２経由のＰＩＡＦＳ接続でＭＳＧ−ＳＶ５にアクセスし、ユーザＩＤ及びパスワードでＭＳＧ−ＳＶ５にログインすることで、ＬＤＢ２９内の自分の送信ログ情報７０の内容を確認することができる。また、ＭＳＧ−ＳＶ５は、ＷＷＷサーバを搭載しているため、外部からインターネット１３経由でも自分の送信ログ情報７０を確認することもできる。
【００７１】
また、ＥＳＣＮ２６は、ユーザの新着Ｅメールの有無をＰＯＰ３プロトコル又はＩＭＡＰ４プロトコル等でＭＬＳ１５にアクセスして確認し、このＭＬＳ１５に新着Ｅメールが存在した場合、このＥメールのタイトル及び本文を文字メッセージとして編集し、ＳＤＢ２８内のメッセージ受信者情報３０に基づき同ユーザのＰＨＳ２に文字メッセージを配信すべく、ＱＵＥ２４に蓄積するものである。
【００７２】
また、ＰＢＸ４は、前述したようにＭＳＧ−ＳＶ５側でＭＳに蓄積中の文字メッセージをユーザＰＨＳ２に配信する場合、ＨＴＩＳＤＮ１０及びＩＬＣ９を経由してＭＳＶ−ＳＧとの通信動作を開始し、ＤＲＩＦ６及びＢＳ３を経由してユーザＰＨＳ２がメッセージ応答可能であるか否かを判定し、このユーザＰＨＳ２がメッセージ応答可能な状態であると判定されると、ＭＳＧ−ＳＶ５，ＨＴＩＳＤＮ１０、ＩＬＣ９，ＰＢＸ４，ＤＲＩＦ６及びＢＳ３経由でＭＳ２５に蓄積中の文字メッセージをユーザＰＨＳ２に配信することになる。
【００７３】
また、ＰＢＸ４は、ＭＳＧ−ＳＶ５側でＭＳ２５に蓄積中の文字メッセージを通話中のユーザＰＨＳ２に配信する場合、ＨＴＩＳＤＮ１０及びＩＬＣ９を経由してＭＳＧ−ＳＶ５との通信動作を開始するが、ＤＲＩＦ６及びＢＳ３を経由してユーザＰＨＳ２が通話中のためにメッセージ受信が不可能であると判定されると、ＰＢＸ４内のアラーム音出力部４Ａにて同文字メッセージの重要度に対応したアラーム音を読み出し、文字メッセージの配信を中止して、この読み出したアラーム音を通話中のユーザＰＨＳ２の通話音声に割り込ませるものである。
【００７４】
従って、ＰＢＸ４内のアラーム音出力部４Ａは、文字メッセージに付加した重要度に応じてアラーム音を夫々管理し、例えば通常のメッセージ内容の場合は、図６（ａ）に示すパターンのアラーム音を、重要度の高いメッセージ内容の場合は図６（ｂ）に示すパターンのアラーム音を管理しているものとする。尚、インターバル間隔を変えてアラーム音のパターンを変えるようにしたが音質を変えるようにしても良い。
【００７５】
また、ＭＳＧ−ＳＶ５は、ユーザＰＨＳ２に対する文字メッセージの配信動作中止後、設定済みのリトライ回数及びリトライ間隔に基づき、ＰＢＸ４との通信動作を開始し、ＰＢＸ４側で同ＰＨＳ２の通信状態が通話中であると判定されると、ＰＢＸ４内のアラーム音出力部４Ａにて同文字メッセージの重要度に対応したアラーム音を読み出し、同文字メッセージのＰＨＳ２への配信動作を中止し、この読み出したアラーム音を通話中のユーザＰＨＳ２の通話音声に割り込ませるものである。この際、アラーム音はメッセージ配信対象のＰＨＳ２のみに割込み出力するものであり、通話相手にはアラーム音が聞こえないようにしている。
【００７６】
また、ＰＢＸ４は、ＭＳＧ−ＳＶ５側で通話中のユーザＰＨＳ２に対する文字メッセージの配信動作を中止した後、同ＰＨＳ２の通信状態が終話、すなわちメッセージ受信可能状態に復帰すると、ＩＬＣ９及びＨＴＩＳＤＮ１０経由でＭＳＧ−ＳＶ５にメッセージ配信動作を指示し、ＭＳＧ−ＳＶ５、ＨＴＩＳＤＮ１０、ＩＬＣ９、ＰＢＸ４，ＤＲＩＦ６及びＢＳ３経由でＭＳ２５に蓄積中の文字メッセージの配信動作を実行するものである。尚、ＰＨＳ２の通信状態がメッセージ受信可能状態に復帰する場合とは、通話中のＰＨＳ２が終話した場合の他に、電源ＯＦＦ中のＰＨＳ２が電源ＯＮした場合、圏外のＰＨＳ２が圏内復帰した場合、ブラウジング通信中のＰＨＳ２がブラウジング通信を切断した場合等が例として挙げられる。
【００７７】
尚、請求項記載の端末装置はＰＨＳ２、接続装置はＰＢＸ４、文字メッセージ配信装置はＭＳＧ−ＳＶ５、状態判定手段及び制御手段はＰＢＸ４及び内部のアラーム音出力部４Ａに相当するものである。
【００７８】
次に本実施の形態を示す文字メッセージ配信システム１の動作について説明する。図７は本実施の形態に関わる通話中文字メッセージ配信処理に関わる処理動作を示す動作シーケンスである。
【００７９】
図７に示す通話中文字メッセージ配信処理は、通話中のＰＨＳ２に対して文字メッセージを配信する場合の処理である。
【００８０】
図７においてＭＳＧ−ＳＶ５は、ＭＳ２５に文字メッセージを蓄積する、すなわちＰＨＳ２に配信する文字メッセージを検出すると（ステップＳ１１）、文字メッセージを含むＳＥＴＵＰをＰＢＸ４に通知する（ステップＳ１２）。尚、ＭＳＧ−ＳＶ５は、ＰＨＳ２への文字メッセージへの配信中止を考慮して、同ＰＨＳ２に対するリトライ回数及びリトライ間隔を予め設定している。
【００８１】
ＰＢＸ４は、文字メッセージを含むＳＥＴＵＰを受信すると、同ＳＥＴＵＰを受け付けるＣＡＬＬＰＲＯＣをＭＳＧ−ＳＶ５に返信する（ステップＳ１３）。ＰＢＸ４は、同ＳＥＴＵＰに含まれた文字メッセージ内のメッセージ配信対象のＰＨＳ２の内線番号に基づき、同ＰＨＳ２の通信状態が空き状態であるか否かを判定する（ステップＳ１４）。
【００８２】
ＰＢＸ４は、同ＰＨＳ２の通信状態が空き状態でない、すなわち通話中であると判定されると、ＰＨＳ２が通話中のため文字メッセージを受信することができないものと判断し、この文字メッセージに含まれた重要度に対応するアラーム音をアラーム音出力部４ＡからＰＨＳ２及び通話相手１０３間の通話音声に割込み出力させる（ステップＳ１５）。尚、ＰＨＳ２のユーザは、このアラーム音を受聴することで、通話相手との通話を終話しなくても、新着の文字メッセージがあることは勿論のこと、同文字メッセージの重要度を認識することができる。
【００８３】
そして、ＰＢＸ４は、ステップＳ１５にてＰＨＳ２及び通話相手１０３間の通話音声にアラーム音を割込み出力すると、ＰＨＳ２及び通話相手１０３間の終話を監視する通話終了監視処理を設定し（ステップＳ１６）、ＤＩＳＣをＭＳＧ−ＳＶ５に通知する（ステップＳ１７）。
【００８４】
ＭＳＧ−ＳＶ５は、ＤＩＳＣを検出すると、ＲＥＬをＰＢＸ４に通知する（ステップＳ１８）。さらに、ＰＢＸ４は、ＲＥＬを受信すると、ＲＥＬＣＯＭＰをＭＳＧ−ＳＶ５に通知する（ステップＳ１９）。この際、ＭＳＧ−ＳＶ５は、文字メッセージの配信動作が中止されたものと判断し、予め設定したリトライ回数を−１デクリメントすると共に、リトライ間隔に基づき、次の配信タイミングを監視し、同配信タイミングを検出すると、ＰＨＳ２が通話中の場合は通話音声に再度アラーム音を割込み出力することになる。
【００８５】
また、ＰＨＳ２は、通話相手１０３との通話を終話すると（ステップＳ２０）、ＤＩＳＣをＰＢＸ４に通知する（ステップＳ２１）。ＰＢＸ４は、ＤＩＳＣを検出すると、ＲＥＬをＰＨＳ２に通知する（ステップＳ２２）。さらに、ＰＨＳ２は、ＲＥＬを受信すると、ＲＥＬＣＯＭＰをＰＢＸ４に通知する（ステップＳ２３）。
【００８６】
ＰＢＸ４は、同ＰＨＳ２が通話終了監視処理の対象であるか否かを判定する（ステップＳ２４）。ＰＢＸ４は、同ＰＨＳ２が通話終了監視処理の対象であると判定されると、ＰＨＳ２の切断を通知すべく、ＰＨＳ２の内線番号を含むＤＩＳＣをＭＳＧ−ＳＶ５に通知する（ステップＳ２５）。さらにＭＳＧ−ＳＶ５は、同ＤＩＳＣを検出すると、ＲＥＬＣＯＭＰをＰＢＸ４に通知する（ステップＳ２６）。尚、ＭＳＧ−ＳＶ５では、終話したＰＨＳ２の内線番号を認識することになる。
【００８７】
ＭＳＧ−ＳＶ５は、終話したＰＨＳ２の内線番号を検出すると、ＱＵＥ２４に蓄積中の送信メッセージ管理情報から同内線番号に対応する文字メッセージ配信動作中止中の文字メッセージを検索し（ステップＳ２７）、文字メッセージをＭＳ２５に蓄積する、すなわち同内線番号のＰＨＳ２に配信する文字メッセージを検出すると（ステップＳ２８）、文字メッセージを含むＳＥＴＵＰをＰＢＸ４に通知する（ステップＳ２９）。
【００８８】
ＰＢＸ４は、文字メッセージを含むＳＥＴＵＰを受信すると、同ＳＥＴＵＰを受け付けるＣＡＬＬＰＲＯＣをＭＳＧ−ＳＶ５に返信する（ステップＳ３０）。ＰＢＸ４は、同ＳＥＴＵＰに含まれた文字メッセージ内のメッセージ配信対象のＰＨＳ２の内線番号に基づき、同ＰＨＳ２の通信状態が空き状態であるか否かを判定する（ステップＳ３１）。
【００８９】
ＰＢＸ４は、ＰＨＳ２の通信状態が空き状態であると判定されると、同文字メッセージを含むＳＥＴＵＰをメッセージ配信対象のＰＨＳ２に通知する（ステップＳ３２）。ＰＨＳ２は、同ＳＥＴＵＰに対するＣＡＬＬＰＲＯＣをＰＢＸ４に通知することで、文字メッセージを受信したことになる（ステップＳ３３）。
【００９０】
ＰＨＳ２は、ＡＬＥＲＴをＰＢＸ４に通知する（ステップＳ３４）。ＰＢＸ４は、ＡＬＥＲＴをＭＳＧ−ＳＶ５に通知する（ステップＳ３５）。
【００９１】
さらに、ＰＨＳ２は、文字メッセージの受信完了を示すＣＯＮＮをＰＢＸ４に通知する（ステップＳ３６）。さらに、ＰＢＸ４は、ＣＯＮＮをＭＳＧ−ＳＶ５に通知する（ステップＳ３７）。従って、ＭＳＧ−ＳＶ５は、ＣＯＮＮを受信すると、文字メッセージの配信が成功したことを認識し、ＱＵＥ２４に蓄積中の同文字メッセージに対応した送信メッセージ管理情報を削除すると共に、同文字メッセージに関わる送信ログ情報をＬＤＢ２９に記憶更新するものである。
【００９２】
さらにＭＳＧ−ＳＶ５は、ＣＯＮＮを受信すると、ＤＩＳＣをＰＢＸ４に通知する（ステップＳ３８）。ＰＢＸ４は、ＤＩＳＣに応じてＲＥＬをＭＳＧ−ＳＶ５に通知する（ステップＳ３９）。最終的にＭＳＧ−ＳＶ５は、ＲＥＬに応じてＲＥＬＣＯＭＰをＰＢＸ４に通知することで（ステップＳ４０）、この処理動作を終了することになる。
【００９３】
また、ＰＢＸ４は、ステップＳ１４にてＰＨＳ２の通信状態が空き状態であると判定されると、同ＳＥＴＵＰに含まれる文字メッセージをＰＨＳ２に配信すべく、図中のＭ２に移行する。
【００９４】
また、ＰＢＸ４は、ステップＳ２４にて終話したＰＨＳ２が通話終了監視処理の対象でないと判定されると、この処理動作を終了する。
【００９５】
また、ＰＢＸ４は、ステップＳ３１にてＰＨＳ２の通信状態が空き状態でない、すなわち通話中であると判定されると、ＳＥＴＵＰに含まれる文字メッセージに付加した重要度に応じてアラーム音を割込み出力させるべく、図中のＭ１に移行することになる。
【００９６】
図７に示す通話中文字メッセージ配信処理によれば、ＰＨＳ２に文字メッセージを配信する際に、この文字メッセージ配信対象のＰＨＳ２が通話中の場合、同ＰＨＳ２への文字メッセージの配信動作を中止して、通話中のＰＨＳ２の通話音声に文字メッセージありを示すアラーム音を割込み出力するようにしたので、ＰＨＳ２のユーザは、通話を終話しなくても、同アラーム音を受聴することで、未受信の文字メッセージがあることを認識することができる。
【００９７】
また、通話中文字メッセージ配信処理によれば、ＰＨＳ２に文字メッセージを配信する際に、この文字メッセージ配信対象のＰＨＳ２が通話中の場合、同ＰＨＳ２への文字メッセージの配信動作を中止して、このＰＨＳ２に対して、同ＰＨＳ２が終話したか否かを監視する通話終了監視処理を設定し、このＰＨＳ２が終話したと判定されると、リトライ回数及びリトライ間隔に関係なく、同ＰＨＳ２への文字メッセージの配信動作を開始するようにしたので、ＰＨＳ２のユーザは、ＭＳＧ−ＳＶ５からの文字メッセージを確実に受信することができる。
【００９８】
また、通話中文字メッセージ配信処理によれば、リトライ回数及びリトライ間隔を予め設定しておき、これらリトライ回数及びリトライ間隔に基づき、ＰＨＳ２に対する通話終了監視処理中にリトライタイミングに到達すると、通話継続中のＰＨＳ２の通話音声にアラーム音を割込み出力するようにしたので、ＰＨＳ２のユーザは、未受信の文字メッセージがあることを何度でも認識することができる。
【００９９】
また、通話中文字メッセージ配信処理によれば、文字メッセージの重要度に応じてアラーム音を異なるようにしたので、ＰＨＳ２のユーザは、通話音声に割込み出力されるアラーム音を受聴するだけで、文字メッセージの重要度を認識することができる。
【０１００】
尚、図７に示す通話中文字メッセージ配信処理は、メッセージ配信対象のＰＨＳ２が通話中でＭＳＧ−ＳＶ５からの文字メッセージを受信することができない場合を想定したが、例えばＰＨＳ２が通信圏外の場合もＰＨＳ２は文字メッセージを受信することができないため、このような通信圏外の場合にも対応できるようにした。
【０１０１】
図８は本実施の形態に関わる通信圏外文字メッセージ配信処理の処理動作を示す動作シーケンスである。
【０１０２】
図８に示す通信圏外文字メッセージ配信処理とは、通信圏外のＰＨＳ２に対して文字メッセージを配信する場合の処理である。
【０１０３】
図８においてＭＳＧ−ＳＶ５は、ＭＳ２５に文字メッセージを蓄積する、すなわちＰＨＳ２に配信する文字メッセージを検出すると（ステップＳ５１）、文字メッセージを含むＳＥＴＵＰをＰＢＸ４に通知する（ステップＳ５２）。尚、ＭＳＧ−ＳＶ５は、ＰＨＳ２への文字メッセージへの配信中止を考慮して、同ＰＨＳ２に対するリトライ回数及びリトライ間隔を予め設定している。
【０１０４】
ＰＢＸ４は、文字メッセージを含むＳＥＴＵＰを受信すると、同ＳＥＴＵＰを受け付けるＣＡＬＬＰＲＯＣをＭＳＧ−ＳＶ５に返信する（ステップＳ５３）。ＰＢＸ４は、同ＳＥＴＵＰに含まれた文字メッセージ内のメッセージ配信対象のＰＨＳ２の内線番号に基づき、同ＰＨＳ２が通信圏外であるか否かを判定する（ステップＳ５４）。
【０１０５】
ＰＢＸ４は、同ＰＨＳ２が通信圏外であると判定されると、ＰＨＳ２が圏外のため文字メッセージを受信することができないものと判断し、このＰＨＳ２が通信圏内に復帰するのを監視する圏内復帰監視処理を設定し（ステップＳ５５）、ＤＩＳＣをＭＳＧ−ＳＶ５に通知する（ステップＳ５６）。
【０１０６】
ＭＳＧ−ＳＶ５は、ＤＩＳＣを検出すると、ＲＥＬをＰＢＸ４に通知する（ステップＳ５７）。さらに、ＰＢＸ４は、ＲＥＬを受信すると、ＲＥＬＣＯＭＰをＭＳＧ−ＳＶ５に通知する（ステップＳ５８）。
【０１０７】
また、ＰＨＳ２は、通信圏外から通信圏内に復帰すると（ステップＳ５９）、ＤＩＳＣをＰＢＸ４に通知する（ステップＳ６０）。ＰＢＸ４は、ＤＩＳＣを検出すると、ＲＥＬをＰＨＳ２に通知する（ステップＳ６１）。さらに、ＰＨＳ２は、ＲＥＬを受信すると、ＲＥＬＣＯＭＰをＰＢＸ４に通知する（ステップＳ６２）。
【０１０８】
ＰＢＸ４は、ＲＥＬＣＯＭＰを検出すると、同ＰＨＳ２が圏内復帰監視処理の対象であるか否かを判定する（ステップＳ６３）。ＰＢＸ４は、同ＰＨＳ２が圏内復帰監視処理の対象であると判定されると、ＰＨＳ２の切断を通知すべく、ＰＨＳ２の内線番号を含むＤＩＳＣをＭＳＧ−ＳＶ５に通知する（ステップＳ６４）。さらにＭＳＧ−ＳＶ５は、同ＤＩＳＣを検出すると、ＲＥＬＣＯＭＰをＰＢＸ４に通知する（ステップＳ６５）。尚、ＭＳＧ−ＳＶ５では、圏内復帰したＰＨＳ２の内線番号を認識することになる。
【０１０９】
ＭＳＧ−ＳＶ５は、圏内復帰したＰＨＳ２の内線番号を検出すると、ＱＵＥ２４に蓄積中の送信メッセージ管理情報から同内線番号に対応する文字メッセージ配信動作中止中の文字メッセージを検索し（ステップＳ６６）、文字メッセージをＭＳ２５に蓄積する、すなわち同内線番号のＰＨＳ２に配信する文字メッセージを検出すると（ステップＳ６７）、文字メッセージを含むＳＥＴＵＰをＰＢＸ４に通知する（ステップＳ６８）。
【０１１０】
ＰＢＸ４は、文字メッセージを含むＳＥＴＵＰを受信すると、同ＳＥＴＵＰを受け付けるＣＡＬＬＰＲＯＣをＭＳＧ−ＳＶ５に返信する（ステップＳ６９）。ＰＢＸ４は、同ＳＥＴＵＰに含まれた文字メッセージ内のメッセージ配信対象のＰＨＳ２の内線番号に基づき、同ＰＨＳ２が通信圏外であるか否かを判定する（ステップＳ７０）。
【０１１１】
ＰＢＸ４は、ＰＨＳ２が通信圏外でない、すなわち通信圏内かつ、通信状態が空き状態であると判定されると、同文字メッセージを含むＳＥＴＵＰをメッセージ配信対象のＰＨＳ２に通知する（ステップＳ７１）。ＰＨＳ２は、同ＳＥＴＵＰに対するＣＡＬＬＰＲＯＣをＰＢＸ４に通知することで、文字メッセージを受信したことになる（ステップＳ７２）。
【０１１２】
ＰＨＳ２は、ＡＬＥＲＴをＰＢＸ４に通知する（ステップＳ７３）。ＰＢＸ４は、ＡＬＥＲＴをＭＳＧ−ＳＶ５に通知する（ステップＳ７４）。
【０１１３】
さらに、ＰＨＳ２は、文字メッセージの受信完了を示すＣＯＮＮをＰＢＸ４に通知する（ステップＳ７５）。さらに、ＰＢＸ４は、ＣＯＮＮをＭＳＧ−ＳＶ５に通知する（ステップＳ７６）。従って、ＭＳＧ−ＳＶ５は、ＣＯＮＮを受信すると、文字メッセージの配信が成功したことを認識し、ＱＵＥ２４に蓄積中の同文字メッセージに対応した送信メッセージ管理情報を削除すると共に、同文字メッセージに関わる送信ログ情報をＬＤＢ２９に記憶更新するものである。
【０１１４】
さらにＭＳＧ−ＳＶ５は、ＣＯＮＮを受信すると、ＤＩＳＣをＰＢＸ４に通知する（ステップＳ７７）。ＰＢＸ４は、ＤＩＳＣに応じてＲＥＬをＭＳＧ−ＳＶ５に通知する（ステップＳ７８）。最終的にＭＳＧ−ＳＶ５は、ＲＥＬに応じてＲＥＬＣＯＭＰをＰＢＸ４に通知することで（ステップＳ７９）、この処理動作を終了することになる。
【０１１５】
また、ＰＢＸ４は、ステップＳ５４にてＰＨＳ２が通信圏外でない、すなわち通信圏内かつ、通信状態が空き状態であると判定されると、同ＳＥＴＵＰに含まれる文字メッセージをＰＨＳ２に配信すべく、図中のＭ３に移行する。
【０１１６】
また、ＰＢＸ４は、ステップＳ６３にて圏内復帰したＰＨＳ２が圏内復帰監視処理の対象でないと判定されると、この処理動作を終了する。
【０１１７】
また、ＰＢＸ４は、ステップＳ７０にてＰＨＳ２が通信圏外であると判定されると、このＰＨＳ２に対して圏内復帰監視処理を設定すべく、図中のＭ４に移行する。
【０１１８】
図８に示す通信圏外文字メッセージ配信処理によれば、ＰＨＳ２に文字メッセージを配信する際に、この文字メッセージ配信対象のＰＨＳ２が通信圏外の場合、同ＰＨＳ２への文字メッセージの配信動作を中止して、このＰＨＳ２に対して、同ＰＨＳ２が通信圏内に復帰したか否かを監視する圏内復帰監視処理を設定し、このＰＨＳ２が通信圏内に復帰したと判定されると、リトライ回数及びリトライ間隔に関係なく、同ＰＨＳ２への文字メッセージの配信動作を開始するようにしたので、ＰＨＳ２のユーザは、ＭＳＧ−ＳＶ５からの文字メッセージを確実に受信することができる。
【０１１９】
尚、図８に示す通信圏外文字メッセージ配信処理によれば、通信圏外中のＰＨＳ２に文字メッセージ配信要求が発生したとしても、文字メッセージ配信動作を中止し、リトライ回数及びリトライ間隔に関係なく、同ＰＨＳ２が通信圏内に復帰したときに文字メッセージ配信動作を開始するようにしたが、例えばＰＨＳ２の通信圏内復帰だけをトリガーとするのではなく、例えばＰＨＳ２の電源ＯＦＦ中やブラウジング通信中等の文字メッセージを受信することができない状態から、例えば電源ＯＮやブラウジング通信終了等の文字メッセージが受信できる状態に復帰したときに文字メッセージの配信動作を開始するようにしても、同様の効果が得られることは言うまでもない。
【０１２０】
従って、本実施の形態によれば、ＭＳＧ−ＳＶ５のＰＨＳ２への文字メッセージ配信中止中に、ＰＨＳ２が文字メッセージを受信できる状態に復帰したと判定されると、このＰＨＳ２に対する中止中の文字メッセージ配信を開始すべく、ＭＳＧ−ＳＶ５に指示するようにしたので、既存のＰＨＳ２に変更を加えることなく、同ＰＨＳ２側の文字メッセージ未受信の発生を確実に防止することができる。
【０１２１】
本実施の形態によれば、通話中のＰＨＳ２に文字メッセージの配信要求があったとしても、通話中のＰＨＳ２の通話音声に文字メッセージありを通知するアラーム音を割り込ませるようにしたので、端末装置のユーザは、アラーム音を受聴することで、未受信の文字メッセージがあることを認識することができる。
【０１２２】
本実施の形態によれば、アラーム音を、文字メッセージ内容の重要度に応じて異なるようにしたので、ＰＨＳ２のユーザは、アラーム音を聞くだけで、未受信の文字メッセージの重要度を認識することができる。
【０１２３】
尚、上記実施の形態においては、ＰＨＳ２に文字メッセージを配信する場合を例に挙げて説明したが、文字メッセージ受信機能を備えた多機能電話機に文字メッセージを配信する場合に適用したとしても、同様の効果が得られることは言うまでもない。
【０１２４】
また、上記実施の形態においては、文字メッセージありを示すアラーム音を出力するアラーム音出力部４ＡをＰＢＸ４内部に配置するようにしたが、ＤＲＩＦ６やＢＳ３内部に設けるようにしても同様の効果が得られることは言うまでもない。
【産業上の利用可能性】
【０１２５】
上記のように構成された本発明の文字メッセージ配信システムによれば、文字メッセージ配信装置の端末装置への文字メッセージ配信中止中に、前記端末装置の通信状態が文字メッセージを受信できる状態に復帰したと判定されると、この端末装置に対する中止中の文字メッセージ配信を開始すべく、前記文字メッセージ配信装置に指示するようにしたので、既存の端末装置に変更を加えることなく、同端末装置側の文字メッセージの未受信の発生を確実に防止することができ、例えば特別養護老人ホーム、工場、ホテル、警備員が警備する建造物等の監視業務、オフィスにおける同報、デパート内の迷子案内、病院内のドクター呼び出し等といった、構内ＰＨＳを持って作業する各種分野に有用である。
【図面の簡単な説明】
【０１２６】
【図１】本発明の実施の形態を示す文字メッセージ配信システム内部の概略構成を示すブロック図である。
【図２】本実施の形態に関わるＭＳＧ−ＳＶ内部の概略構成を示すブロック図である。
【図３】本実施の形態に関わるＳＤＢで記憶管理するメッセージ受信者情報のデータ構成を示す説明図である。
【図４】本実施の形態に関わるＱＵＥで記憶管理する送信メッセージ管理情報のデータ構成を示す説明図である。
【図５】本実施の形態に関わるＬＤＢで記憶管理する送信ログ情報のデータ構成を示す説明図である。
【図６】本実施の形態に関わるアラーム音のパターンを示す説明図である。
【図７】本実施の形態に関わる通話中文字メッセージ配信処理に関わる処理動作を示す動作シーケンスである。
【図８】本実施の形態に関わる通信圏外文字メッセージ配信処理に関わる処理動作を示す動作シーケンスである。
【図９】従来の文字メッセージ配信システムの文字メッセージ配信処理に関わる処理動作を示す動作シーケンスである。
【符号の説明】
【０１２７】
１  文字メッセージ配信システム
２  ＰＨＳ（端末装置）
４  ＰＢＸ  （接続装置：状態判定手段及び制御手段）
４Ａ  アラーム音出力部
５  ＭＳＧ−ＳＶ（文字メッセージ配信装置）
【図１】
2006121496.tif 000003
【図２】
2006121496.tif 000004
【図３】
2006121496.tif 000005
【図４】
2006121496.tif 000006
【図５】
2006121496.tif 000007
【図６】
2006121496.tif 000008
【図７】
2006121496.tif 000009
【図８】
2006121496.tif 000010
【図９】
2006121496.tif 000011